(57)【特許請求の範囲】
【請求項１】
端末がユーザデータ処理実体へ上りデータを送信する様態に応用するサービスデータの伝送方法であって、該方法は、
端末は、前記端末の応用層ユーザが要求したサービスタイプ対応の仮想IPアドレスを取得し、前記仮想IPアドレスは、前記端末の物理標識、前記応用層ユーザの標識及び前記サービスタイプの標識によって生成したIPアドレスであるステップと、
前記端末は、前記サービスタイプの第1の上りデータを受信し、前記第1の上りデータにおけるソースIPアドレスが前記端末の物理IPアドレスであり、目標IPアドレスが前記仮想IPアドレスであるステップと、
前記端末は、前記第1の上りデータにおけるソースIPアドレスを前記仮想IPアドレスに入れ替え、前記第1の上りデータにおける目標IPアドレスを前記サービスタイプ対応のサービスサーバーの物理IPアドレスに入れ替え、第2の上りデータを生成するステップと、及び、
前記端末は基地局により前記第2の上りデータをユーザデータ処理実体に送信し、前記ユーザデータ処理実体により前記第2の上りデータを前記サービスサーバーに転送するステップとを含むサービスデータの伝送方法。
【請求項２】
前記端末が前記端末の応用層ユーザが要求したサービスタイプ対応の仮想IPアドレスを取得するステップは、
前記端末が、仮想IPアドレスの配分ルールにより、前記端末の物理標識、前記応用層ユーザの標識及び前記サービスタイプの標識に対して処理し、前記仮想IPアドレスを生成することを含み、又は、
前記端末が、前記端末の応用層ユーザが要求したサービスタイプ対応の仮想IPアドレスを取得するステップは、
前記端末がIPアドレス配分実体へ前記端末の物理標識、前記応用層ユーザの標識及び前記サービスタイプの標識を有するメッセージを送信すること、及び、
前記端末が前記IPアドレス配分実体から仮想IPアドレスを受信し、前記仮想IPアドレスは、前記IPアドレス配分実体が前記端末の物理標識、前記応用層ユーザの標識及び前記サービスタイプの標識に対して処理して、生成したIPアドレスであることを含む請求項１に記載のサービスデータの伝送方法。
【請求項３】
前記端末が、前記第1の上りデータにおけるソースIPアドレスを前記仮想IPアドレスに入れ替え、前記第1の上りデータにおける目標IPアドレスを前記サービスタイプの対応のサービスサーバーの物理IPアドレスに入れ替え、第2の上りデータを生成するステップの後、さらに、
前記端末が前記第2の上りデータに対し巡回冗長検査を行うことを含む請求項１に記載のサービスデータの伝送方法。
【請求項４】
前記端末が基地局により前記第2の上りデータをユーザデータ処理実体に送信するステップの前、さらに、
前記端末が前記サービスタイプ標識により、ベアラマッピングを行うことを含み、
前記端末が基地局により前記第2の上りデータをユーザデータ処理実体に送信するステップは、
前記端末が前記ベアラマッピングに基づき、前記基地局によって前記第2の上りデータをユーザデータ処理実体に送信することを含む請求項１に記載のサービスデータの伝送方法。
【請求項５】
前記仮想IPアドレスは、さらに、前記端末が所在している基地局情報を含み、
前記端末が仮想IPアドレスの配分ルールにより、前記端末の物理標識、前記応用層ユーザの標識及び前記サービスタイプの標識を処理し、前記仮想IPアドレスを生成するステップは、
前記端末が仮想IPアドレスの配分ルールにより、前記端末の物理標識、前記応用層ユーザの標識、前記サービスタイプの標識、及び前記端末が存在している基地局の標識を処理し、前記仮想IPアドレスを生成することを含み、又は
前記端末が前記IPアドレス配分実体から仮想IPアドレスを受信し、前記仮想IPアドレスは、前記IPアドレス配分実体が前記端末の物理標識、前記応用層ユーザの標識及び前記サービスタイプの標識に対して処理して、生成したIPアドレスであるステップは、
前記端末が前記IPアドレス配分実体から仮想IPアドレスを受信し、前記仮想IPアドレスは、前記IPアドレス配分実体が前記端末の物理標識、前記応用層ユーザの標識、前記サービスタイプの標識及び前記端末が所在している基地局の標識に対して処理して、生成したIPアドレスであることを含む請求項２に記載のサービスデータの伝送方法。
【請求項６】
端末がユーザデータ処理実体から下りデータを受信する様態に応用するサービスデータの伝送方法であって、前記方法は、
前記端末が基地局により前記ユーザデータ処理実体から第1の下りデータを受信し、前記第1の下りデータにおける目標IPアドレスが仮想IPアドレスであり、前記仮想IPアドレスが前記端末の物理標識、前記端末の応用層ユーザの標識及び前記応用層ユーザの要求したサービスタイプの標識により生成したIPアドレスであるステップと、
前記端末が前記第1の下りデータにおけるソースIPアドレスを前記仮想IPアドレスに入れ替え、前記第1の下りデータにおける目標IPアドレスを前記端末の物理IPアドレスに入れ替え、第2の下りデータを生成するステップと、
前記端末が前記仮想IPアドレス対応の応用層ユーザの標識を取得するステップと、及び、
前記端末が前記第2の下りデータを前記応用層ユーザに送信するステップとを含むサービスデータの伝送方法。
【請求項７】
端末であって、
前記端末の応用層ユーザが要求したサービスタイプ対応の仮想IPアドレスを取得し、前記仮想IPアドレスは、前記端末の物理標識、前記応用層ユーザの標識及び前記サービスタイプの標識によって生成したIPアドレスであるように設置された第1の取得ユニットと、
前記サービスタイプの第1の上りデータを受信し、前記第1の上りデータにおけるソースIPアドレスが、前記端末の物理IPアドレスであり、目標IPアドレスが前記仮想IPアドレスであるように設置された第1の受信ユニットと、
前記第1の上りデータにおけるソースIPアドレスを前記仮想IPアドレスに入れ替え、前記第1の上りデータにおける目標IPアドレスを前記サービスタイプ対応のサービスサーバーの物理IPアドレスに入れ替え、第2の上りデータを生成するように設置された第1の入れ替えユニットと、及び、
基地局によって前記第2の上りデータをユーザデータ処理実体に送信するように設置された第1の送信ユニットとを含む端末。
【発明の詳細な説明】
【技術分野】
【０００１】
本発明は移動通信分野に関し、特にサービスデータの伝送方法及び端末に関する。
【背景技術】
【０００２】
サービスデータの処理過程において、同一の実体に複数のサービスを行う場合があり、1つの端末に複数のサービスを行う時、パケットフィルタ(Packet Filter：PF)により実現することができる。しかしながら、従来の技術において、同一の端末に複数のユーザ端末(User  Equipment：UE)、複数のサービスを仮想することができない。
【発明の概要】
【発明が解決しようとする課題】
【０００３】
本発明が解決しようとする技術問題は、同一の端末に複数の端末、複数のサービスを仮想することを実現することができるサービスデータの伝送方法及び端末を提供することである。
【課題を解決するための手段】
【０００４】
前記技術問題を解決するために、本発明の実施例は、以下の技術方案を提供する。
【０００５】
一方、端末がユーザデータ処理実体へ上りデータを送信する様態に応用するサービスデータの伝送方法を提供し、該方法は、
端末は、前記端末の応用層ユーザが要求したサービスタイプ対応の仮想インターネットプロトコルIPアドレスを取得し、前記仮想IPアドレスは、前記端末の物理標識、前記応用層ユーザの標識及び前記サービスタイプの標識によって生成したIPアドレスであるステップと、
前記端末は、前記サービスタイプの第1の上りデータを受信し、前記第1の上りデータにおけるソースIPアドレスが前記端末の物理IPアドレスであり、目標IPアドレスが前記仮想IPアドレスであるステップと、
前記端末は、前記第1の上りデータにおけるソースIPアドレスを前記仮想IPアドレスに入れ替え、前記第1の上りデータにおける目標IPアドレスを前記サービスタイプ対応のサービスサーバーの物理IPアドレスに入れ替え、第2の上りデータを生成するステップと、及び、
前記端末は基地局により前記第2の上りデータをユーザデータ処理実体に送信し、前記ユーザデータ処理実体により前記第2の上りデータを前記サービスサーバーに転送するステップとを含む。
【０００６】
前記端末が前記端末の応用層ユーザが要求したサービスタイプ対応の仮想IPアドレスを取得するステップは、
前記端末は、仮想IPアドレスの配分ルールにより、前記端末の物理標識、前記応用層ユーザの標識及び前記サービスタイプの標識に対して処理し、前記仮想IPアドレスを生成することを含み、又は、
前記端末は、前記端末の応用層ユーザが要求したサービスタイプ対応の仮想IPアドレスを取得するステップは、
前記端末がIPアドレス配分実体へ前記端末の物理標識、前記応用層ユーザの標識及び前記サービスタイプの標識を携帯するメッセージを送信すること、及び、
前記端末が前記IPアドレス配分実体から仮想IPアドレスを受信し、前記仮想IPアドレスは、前記IPアドレス配分実体が前記端末の物理標識、前記応用層ユーザの標識及び前記サービスタイプの標識に対して処理して、生成したIPアドレスである。
【０００７】
前記端末が、前記第1の上りデータにおけるソースIPアドレスを前記仮想IPアドレスに入れ替え、前記第1の上りデータにおける目標IPアドレスを前記サービスタイプの対応のサービスサーバーの物理IPアドレスに入れ替え、第2の上りデータを生成するステップの後、さらに、
前記端末が前記第2の上りデータに対し巡回冗長検査を行うことを含む。
【０００８】
前記端末が基地局により前記第2の上りデータをユーザデータ処理実体に送信するステップの前、さらに、
前記端末が前記サービスタイプ標識により、ロードマッピングを行うことを含み、
前記端末が基地局により前記第2の上りデータをユーザデータ処理実体に送信するステップは、
前記端末が前記ロードマッピングに基づき、前記基地局によって前記第2の上りデータをユーザデータ処理実体に送信することを含む。
【０００９】
前記仮想IPアドレスは、さらに、前記端末が所在している基地局情報を含み、
前記端末が仮想IPアドレスの配分ルールにより、前記端末の物理標識、前記応用層ユーザの標識及び前記サービスタイプの標識を処理し、前記仮想IPアドレスを生成するステップは、
前記端末が仮想IPアドレスの配分ルールにより、前記端末の物理標識、前記応用層ユーザの標識、前記サービスタイプの標識、及び前記端末が存在している基地局の標識を処理し、前記仮想IPアドレスを生成することを含み、
前記端末が前記IPアドレス配分実体から仮想IPアドレスを受信し、前記仮想IPアドレスは、前記IPアドレス配分実体が前記端末の物理標識、前記応用層ユーザの標識及び前記サービスタイプの標識に対して処理して、生成したIPアドレスであるステップは、
前記端末が前記IPアドレス配分実体から仮想IPアドレスを受信し、前記仮想IPアドレスは、前記IPアドレス配分実体が前記端末の物理標識、前記応用層ユーザの標識、前記サービスタイプの標識及び前記端末が所在している基地局の標識に対して処理して、生成したIPアドレスである。
【００１０】
又一方、端末がユーザデータ処理実体から下りデータを受信する様態に応用するサービスデータの伝送方法を提供し、前記方法は、
前記端末が基地局により前記ユーザデータ処理実体から第1の下りデータを受信し、前記第1の下りデータにおける目標インターネットプロトコルIPアドレスが仮想IPアドレスであり、前記仮想IPアドレスが前記端末の物理標識、前記端末の応用層ユーザの標識及び前記応用層ユーザの要求したサービスタイプの標識により生成したIPアドレスであるステップと、
前記端末が前記第1の下りデータにおけるソースIPアドレスを前記仮想IPアドレスに入れ替え、前記第1の下りデータにおける目標IPアドレスを前記端末の物理IPアドレスに入れ替え、第2の下りデータを生成するステップと、
前記端末が前記仮想IPアドレス対応の応用層ユーザの標識を取得するステップと、及び、
前記端末が前記第2の下りデータを前記応用層ユーザに送信するステップとを含むサービスデータの伝送方法。
【００１１】
又一方、端末を提供し、
前記端末の応用層ユーザが要求したサービスタイプ対応の仮想インターネットプロトコルIPアドレスを取得し、前記仮想IPアドレスは、前記端末の物理標識、前記応用層ユーザの標識及び前記サービスタイプの標識によって生成したIPアドレスであるように設置された第1の取得ユニットと、
前記サービスタイプの第1の上りデータを受信し、前記第1の上りデータにおけるソースIPアドレスが、前記端末の物理IPアドレスであり、目標IPアドレスが前記仮想IPアドレスであるように設置された第1の受信ユニットと、
前記第1の上りデータにおけるソースIPアドレスを前記仮想IPアドレスに入れ替え、前記第1の上りデータにおける目標IPアドレスを前記サービスタイプ対応のサービスサーバーの物理IPアドレスに入れ替え、第2の上りデータを生成するように設置された第1の入れ替えユニットと、及び、
基地局によって前記第2の上りデータをユーザデータ処理実体に送信するように設置された第1の送信ユニットとを含む端末。
【発明の効果】
【００１２】
前記方案において、前記仮想IPアドレスが、前記端末の物理標識、前記応用層ユーザの標識及び前記サービスタイプの標識によって生成したIPアドレスであり、各唯一の1つの仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザの同一のサービスタイプを代表するので、同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【図面の簡単な説明】
【００１３】
【図１】本発明に記載のサービスデータの伝送方法の1つの実施例の流れ図
【図２】本発明に記載のサービスデータの伝送方法のもう1つの実施例の流れ図
【図３】本発明に記載のサービスデータの伝送方法のまた1つの実施例の流れ図
【図４】本発明に記載のサービスデータの伝送方法のまたもう1つの実施例の流れ図
【図５】本発明に記載の端末の1つの実施例の構造図
【図６】本発明に記載の端末のもう1つの実施例の構造図
【図７】本発明に記載の端末のまた1つの実施例の構造図
【図８】本発明に記載のユーザデータ処理実体の構造図
【図９】本発明に記載のサービスデータの伝送システムの1つの実施例の構造図
【図１０】本発明に記載のサービスデータの伝送システムのもう1つの実施例の構造図
【図１１】本発明に記載のサービスデータの伝送システムの応用様態の構造図
【発明を実施するための形態】
【００１４】
本発明の実施例が解決しようとする技術問題、技術方案及びメリットをさらに明確するために、以下、図面及び具体的な実施例を参考にして詳しく説明する。
【００１５】
本発明の実施例は、従来の技術で同一の端末に複数の端末、複数のサービスを仮想することを実現できない問題に対して、サービスデータの伝送方法及びシステム、端末、ユーザデータ処理実体を提供する。
【００１６】
図１に示すように、本発明の実施例に記載のサービスデータの伝送方法の1つの実施例であり、該態様は、端末がユーザデータ処理実体へ上りデータを送信する状況である。
【００１７】
前記方法は、
端末は、前記端末の応用層ユーザが要求したサービスタイプ対応の仮想インターネットプロトコル（Internet Protocol、IP）アドレスを取得し、前記仮想IPアドレスは、前記端末の物理標識、前記応用層ユーザの標識及び前記サービスタイプの標識により生成したIPアドレスであり、端末の物理標識が端末の物理IPアドレスであってもよく、前記仮想インターネットプロトコル（Internet  Protocol、IP）アドレスはサービスタイプ標識及び仮想標識を含み、前記サービスタイプ標識は前記サービスタイプを表し、前記仮想標識は、前記端末の物理IPアドレス及び前記応用層ユーザの標識対応の番号を表し、且つ、仮想IPアドレスは予約済みIPアドレスとすることができなく、予約済みIPアドレスは、制限されたブロードキャストアドレス、ネットワークへのブロードキャストアドレス、サブネットへのブロードキャストアドレス、すべてのサブネットへのブロードキャストアドレス、すべてゼロ及びループバックインターフェースアドレスを含むステップ101と、
前記端末が前記端末の応用層から前記サービスタイプの第1の上りデータを受信し、前記第1の上りデータにおけるソースIPアドレスが前記端末の物理IPアドレスであり、目標IPアドレスが前記仮想IPアドレスであるステップ102と、
前記端末は、前記第1の上りデータにおけるソースIPアドレスを前記仮想IPアドレスに入れ替え、前記第1の上りデータにおける目標IPアドレスを前記サービスタイプ対応のサービスサーバーの物理IPアドレスに入れ替え、第2の上りデータを生成するステップ103と、
前記端末は、基地局により前記第2の上りデータをユーザデータ処理実体に送信し、前記ユーザデータ処理実体により前記第2の上りデータを前記サービスサーバーに転送するステップ104とを含む。
【００１８】
上記方案において、前記仮想IPアドレスが、前記端末の物理標識、前記応用層ユーザの標識及び前記サービスタイプの標識によって生成したIPアドレスであり、このため、各唯一の仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザの同一のサービスタイプを代表する。同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【００１９】
図２に示すように、本発明の実施例に記載のサービスデータの伝送方法のもう1つの実施例であり、該態様は、端末がユーザデータ処理実体へ上りデータを送信する状況である。前記方法は、以下のステップを含む。
【００２０】
ステップ201：端末は、前記端末の応用層ユーザが要求したサービスタイプ対応の仮想IPアドレスを取得し、前記仮想IPアドレスは、前記端末の物理標識、前記応用層ユーザの標識及び前記サービスタイプの標識により生成したIPアドレスであり、端末の物理標識は、端末の物理IPアドレスであってもよく、前記仮想IPアドレスはサービスタイプ標識及び仮想標識を含むことができ、前記サービスタイプ標識は、前記サービスタイプを表し、前記仮想標識は、前記端末の物理IPアドレス及び前記応用層ユーザの標識の対応の番号を表し、前記仮想IPアドレスが32桁であり、前記端末は前記仮想IPアドレスと一々対応する関係であり、前記サービス標識は、11類のサービスを代表でき、同一の端末が異なるサービスを要求すると、仮想IPアドレスが異なって、同一の端末の異なるユーザが同じサービスを要求すると、仮想IPアドレスが異なって、すべてが1つの唯一の仮想IPアドレスを対応する。また、前記仮想IPアドレスは、さらに、前記端末が所在している基地局の情報を含み、前記端末が所在している基地局の標識であってもよく、このように、異なる基地局にアクセスする端末がすべて唯一の1つの仮想IPアドレスに対応することができる。仮想IPアドレスが予約済みIPアドレスとすることができなく、予約済みIPアドレスは、制限されたブロードキャストアドレス、ネットワークへのブロードキャストアドレス、サブネットへのブロードキャストアドレス、すべてのサブネットへのブロードキャストアドレス、すべてゼロ及びループバックインターフェースアドレスを含む。
【００２１】
前記端末が、前記端末の応用層ユーザが要求したサービスタイプ対応の仮想IPアドレスを取得するステップは、具体的に、前記端末が仮想IPアドレスの配分ルールによって、前記端末の物理標識、前記応用層ユーザの標識及び前記サービスタイプの標識に対して処理し、前記仮想IPアドレスを生成することである。
【００２２】
又は、前記端末が、前記端末の応用層ユーザが要求したサービスタイプ対応の仮想IPアドレスを取得するステップは、具体的に、
前記端末がIPアドレス配分実体へ前記端末の物理標識、前記応用層ユーザの標識及び前記サービスタイプの標識を携帯するメッセージを送信し、
前記端末が前記IPアドレス配分実体から仮想IPアドレスを受信し、前記仮想IPアドレスは、前記IPアドレス配分実体が前記端末の物理標識、前記応用層ユーザの標識及び前記サービスタイプの標識に対して処理して、生成したIPアドレスであり、実際の応用において、IPアドレス配分実体が移動管理実体に設置することができることである。
【００２３】
前記仮想IPアドレスが前記端末が所在している基地局情報を含むと、前記端末が仮想IPアドレスの配分ルールによって、前記端末の物理標識、前記応用層ユーザの標識及び前記サービスタイプの標識に対して処理し、前記仮想IPアドレスを生成するステップは、
前記端末は、仮想IPアドレスの配分ルールによって、前記端末の物理標識、前記応用層ユーザ的標識、前記サービスタイプの標識及び前記端末が所在している基地局の標識を処理し、前記仮想IPアドレスを生成することである。
【００２４】
又は、前記端末が、前記端末の応用層ユーザが要求したサービスタイプ対応の仮想IPアドレスを取得するステップは、具体的に、
前記端末がIPアドレス配分実体へ前記端末の物理標識、前記応用層ユーザの標識、前記サービスタイプの標識、及び前記端末が所在している基地局の標識を携帯するメッセージを送信し、
前記端末が前記IPアドレス配分実体から仮想IPアドレスを受信し、前記仮想IPアドレスは、前記IPアドレス配分実体が前記端末の物理標識、前記応用層ユーザの標識、前記サービスタイプの標識及び前記端末が所在している基地局の標識に対して処理して、生成したIPアドレスであることである。
【００２５】
ステップ202：前記端末が前記端末の応用層から前記サービスタイプの第1の上りデータを受信し、前記第1の上りデータにおけるソースIPアドレスが前記端末の物理IPアドレスであり、目標IPアドレスが前記仮想IPアドレスである。
【００２６】
ステップ203：前記端末は前記第1の上りデータにおけるソースIPアドレスを前記仮想IPアドレスに入れ替え、前記第1の上りデータにおける目標IPアドレスを前記サービスタイプ対応のサービスサーバーの物理IPアドレスに入れ替え、第2の上りデータを生成する。
【００２７】
ステップ204：端末が前記第2の上りデータに対して巡回冗長検査を行う。巡回冗長検査はデータの正確性を保証することができる。また、巡回冗長検査は増分計算の方式を採用でき、このように、検査に必要とする処理速度を向上させる。
【００２８】
ステップ205：前記端末は、サービスタイプ標識によってロードマッピングを行って、サービスタイプ標識によるロードマッピングは、プロトコル処理の複雑度を簡単化することができる。
【００２９】
ステップ206：前記端末は、前記ロードマッピングに基づいて、前記基地局により前記第2の上りデータをユーザデータ処理実体に送信し、且つ、前記ユーザデータ処理実体により前記第2の上りデータを前記サービスサーバーに転送する。
【００３０】
図３に示すように、本発明の実施例に記載のサービスデータの伝送方法のまた1つの実施例であり、該態様は、ユーザデータ処理実体が端末へ下りデータを送信する状況である。前記方法は、以下のステップを含む。
【００３１】
ステップ301：ユーザデータ処理実体が、サービスサーバーから第1の下りデータを受信し、前記第1の下りデータにおける目標IPアドレスが仮想IPアドレスである。
【００３２】
ステップ302：前記ユーザデータ処理実体が前記仮想IPアドレスによりトンネルマッピングを行って、仮想IPアドレスによるトンネルマッピングは、プロトコル処理の複雑度を簡単化することができる。
【００３３】
ステップ303：前記ユーザデータ処理実体は、前記トンネルマッピングにより、前記第1の下りデータを前記基地局を通じて前記端末に送信する。
【００３４】
前記方案における前記仮想IPアドレスは、前記図１及び図２に示すサービスデータの伝送方法における仮想IPアドレスと対応して、前記仮想IPアドレスは、前記端末の物理標識、前記応用層ユーザの標識及び前記サービスタイプの標識により生成したIPアドレスである。仮想IPアドレスが予約済みIPアドレスとすることができなく、予約済みIPアドレスは、制限されたブロードキャストアドレス、ネットワークへのブロードキャストアドレス、サブネットへのブロードキャストアドレス、すべてのサブネットへのブロードキャストアドレス、すべてゼロ及びループバックインターフェースアドレスを含む。このため、各唯一の仮想IPアドレスが異なる物理IPアドレス端末の異なるユーザにおける異なるサービスタイプを代表し、又は、同一の物理IPアドレス端末の同一のユーザの異なるサービスタイプを代表し、又は、同一の物理IPアドレス端末の異なるユーザの同一のサービスタイプを代表する。同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【００３５】
図４に示すように、本発明の実施例に記載のサービスデータの伝送方法のまた1つの実施例であり、該様態は、端末がユーザデータ処理実体から下りデータを受信する状況である。前記方法は以下のステップを含む。
【００３６】
ステップ401：端末は、基地局によりユーザデータ処理実体から第1の下りデータを受信し、前記第1の下りデータにおける目標IPアドレスが仮想IPアドレスであり、具体的に、ユーザデータ処理実体がサービスサーバーから第1の下りデータを受信し、そして、ユーザデータ処理実体が基地局により第1の下りデータを端末に送信しすることである。前記仮想IPアドレスが、前記端末の物理標識、前記端末の応用層ユーザの標識及び前記応用層ユーザが要求したサービスタイプの標識により生成したIPアドレスであり、前記仮想IPアドレスは、サービスタイプ標識及び仮想標識を含み、前記サービスタイプ標識はサービスタイプを表し、前記仮想標識は端末の物理IPアドレス及び前記端末の応用層ユーザの標識対応の番号を表わし、また、前記仮想IPアドレスは、さらに基地局標識を含むことができ、このように、異なる基地局にアクセスする端末がすべて唯一の1つの仮想IPアドレスに対応することができ、また、仮想IPアドレスが予約済みIPアドレスとすることができなく、予約済みIPアドレスは、制限されたブロードキャストアドレス、ネットワークへのブロードキャストアドレス、サブネットへのブロードキャストアドレス、すべてのサブネットへのブロードキャストアドレス、すべてゼロ及びループバックインターフェースアドレスを含み、その中、ユーザデータ処理実体の第1の下りデータは、サービスサーバーから受信したものである。
【００３７】
ステップ402：前記端末は前記第1の下りデータにおけるソースIPアドレスを前記仮想IPアドレスに入れ替え、前記第1の下りデータにおける目標IPアドレスを前記端末の物理IPアドレスに入れ替え、第2の下りデータを生成する。該ステップにおいて、さらに、端末が前記第2の下りデータに対して巡回冗長検査を行うことを含む。巡回冗長検査はデータの正確性を保証することができる。また、巡回冗長検査は、増分計算の方式を採用でき、このように、検査に必要とする処理速度を向上させる。
【００３８】
ステップ403：前記端末は前記仮想IPアドレスの対応の応用層ユーザの標識を取得する。
【００３９】
ステップ404：前記端末は、前記第2の下りデータを前記応用層ユーザに送信する。
【００４０】
前記方案において、前記仮想IPアドレスが、前記端末の物理標識、前記応用層ユーザの標識及び前記サービスタイプの標識によって生成したIPアドレスであり、このため、各唯一の仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザの同一のサービスタイプを代表する。同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【００４１】
図５に示すように、本発明の実施例に記載の端末の1つの実施例であり、端末がユーザデータ処理実体へ上りデータを送信する状況に応用する。
【００４２】
前記端末50は、
前記端末の応用層ユーザが要求したサービスタイプの対応の仮想IPアドレスを取得し、前記仮想IPアドレスが前記端末の物理標識、前記応用層ユーザの標識及び前記サービスタイプの標識により生成したIPアドレスであり、端末の物理標識が端末の物理IPアドレスであってもよく、前記仮想IPアドレスは、サービスタイプ標識及び仮想標識を含み、前記サービスタイプ標識は、前記サービスタイプを表し、前記仮想標識が前記端末の物理IPアドレス及び前記応用層ユーザの標識対応の番号を表し、また、前記仮想IPアドレスは、さらに、基地局標識を含むことができ、このように、異なる基地局にアクセスする端末に対して、すべて唯一の1つの仮想IPアドレスに対応することができ、また、仮想IPアドレスが予約済みIPアドレスとすることができなく、予約済みIPアドレスは、制限されたブロードキャストアドレス、ネットワークへのブロードキャストアドレス、サブネットへのブロードキャストアドレス、すべてのサブネットへのブロードキャストアドレス、すべてゼロ及びループバックインターフェースアドレスを含むように設置された第1の取得ユニット501と、
前記サービスタイプの第1の上りデータを受信し、前記第1の上りデータにおけるソースIPアドレスが前記端末の物理IPアドレスであり、  目標IPアドレスが前記仮想IPアドレスであるように設置された第1の受信ユニット502と、
前記第1の上りデータにおけるソースIPアドレスを前記仮想IPアドレスに入れ替え、前記第1の上りデータにおける目標IPアドレスを前記サービスタイプの対応のサービスサーバーの物理IPアドレスに入れ替え、第2の上りデータを生成するように設置された第1の入れ替えユニット503と、
基地局により前記第2の上りデータをユーザデータ処理実体に送信するように設置された第1の送信ユニット504とを含む。
【００４３】
前記方案において、前記仮想IPアドレスが、前記端末の物理標識、前記応用層ユーザの標識及び前記サービスタイプの標識によって生成したIPアドレスであり、このため、各唯一の仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザにおける同一のサービスタイプを代表する。同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【００４４】
図６に示すように、本発明の実施例に記載の端末50のまた1つの実施例であり、端末がユーザデータ処理実体へ上りデータを送信する状況に適用する。
【００４５】
その中、第1の取得ユニット501は、仮想IPアドレスの配分ルールにより、前記端末の物理標識、前記応用層ユーザの標識及び前記サービスタイプの標識を処理し、前記仮想IPアドレスを生成するように設置される。
【００４６】
又は、第1の取得ユニット501は、具体的に、
IPアドレス配分実体へ前記端末の物理標識、前記応用層ユーザの標識及び前記サービスタイプの標識を携帯するメッセージを送信するように設置された送信サブユニットと、及び、
前記IPアドレス配分実体から仮想IPアドレスを受信し、前記仮想IPアドレスは、前記IPアドレス配分実体が前記端末の物理標識、前記応用層ユーザの標識及び前記サービスタイプの標識に対して処理して、生成したIPアドレスである受信サブユニットとを含む。
【００４７】
前記端末50は、さらに、前記サービスタイプ標識によりロードマッピングを行うように設置されたロードマッピングユニット505を含むことができ、
第1の送信ユニット504は、前記ロードマッピングユニット505によりロードマッピングを行って、前記基地局により前記第2の上りデータをユーザデータ処理実体に送信するように設置される。このように、プロトコルの複雑度を簡単化することができる。
【００４８】
前記端末50は、さらに前記第1の入れ替えユニット503が生成した前記第2の上りデータに対して巡回冗長検査を行うように設置された検査ユニット506を含む。巡回冗長検査はデータの正確性を保証することができる。また、巡回冗長検査は、増分計算の方式を採用でき、このように、検査に必要とする処理速度を向上させる。
【００４９】
図７に示すように、本発明の実施例に記載の端末のまた1つの実施例であり、端末がユーザデータ処理実体から下りデータを受信する状況に適用する。
【００５０】
前記端末70は、
基地局によりユーザデータ処理実体から第1の下りデータを受信し、前記第1の下りデータにおける目標IPアドレスが仮想IPアドレスであり、前記仮想IPアドレスが前記端末の物理標識、前記端末の応用層ユーザの標識及び前記応用層ユーザが要求したサービスタイプの標識により生成したIPアドレスであり、且つ、仮想IPアドレスが予約済みIPアドレスとすることができなく、予約済みIPアドレスは、制限されたブロードキャストアドレス、ネットワークへのブロードキャストアドレス、サブネットへのブロードキャストアドレス、すべてのサブネットへのブロードキャストアドレス、すべてゼロ及びループバックインターフェースアドレスを含むように設置された第2の受信ユニット701と、
前記第1の下りデータにおけるソースIPアドレスを前記仮想IPアドレスに入れ替え、前記第1の下りデータにおける目標IPアドレスを前記端末の物理IPアドレスに入れ替え、第2の下りデータを生成するように設置された第2の入れ替えユニット702と、
前記仮想IPアドレスの対応の応用層ユーザの標識を取得するように設置された第2の取得ユニット703と、
前記第2の下りデータを前記応用層ユーザに送信するように設置された第2の送信ユニット704とを含む。
【００５１】
前記端末70は、さらに、第2の下りデータに対して巡回冗長検査を行って、データの正確性を保証するように設置された検査ユニットを含むことができる。
【００５２】
その中、ユーザデータ処理実体の第1の下りデータがサービスサーバーから受信するものである。具体的に、ユーザデータ処理実体がサービスサーバーから第1の下りデータを受信し、そして、ユーザデータ処理実体は、基地局により第1の下りデータを端末に送信する。
【００５３】
前記方案において、前記仮想IPアドレスが、前記端末の物理標識、前記応用層ユーザの標識及び前記サービスタイプの標識によって生成したIPアドレスであり、このため、各唯一の仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザの同一のサービスタイプを代表する。同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【００５４】
当業者は、端末50と端末70が同一の端末に設置することができることを理解できる。
【００５５】
図８に示すように、本発明の実施例に記載のユーザデータ処理実体の1つの実施例であり、ユーザデータ処理実体が端末へ下りデータを送信する状況に応用する。
【００５６】
前記ユーザデータ処理実体80は、
サービスサーバーから第1の下りデータを受信し、前記第1の下りデータにおける目標IPアドレスが仮想IPアドレスであるように設置された第3の受信ユニット801と、
前記仮想IPアドレスによってトンネルマッピングを行うように設置されたトンネルマッピングユニット802と、
前記トンネルマッピングにより、前記第1の下りデータを基地局により前記端末に送信するように設置された第3の送信ユニット803とを含む。
【００５７】
上記方案において、前記仮想IPアドレスは、図５に示した端末の実施例における仮想IPアドレスと対応する。仮想IPアドレスが、前記端末の物理標識、前記応用層ユーザの標識及び前記サービスタイプの標識によって生成したIPアドレスであり、このため、各唯一の１つの仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザの同一のサービスタイプを代表する。同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【００５８】
図９に示すように、本発明の実施例に記載のサービスデータの伝送システムの1つの実施例であり、端末がユーザデータ処理実体へ上りデータを送信する状況に適用する。
【００５９】
前記サービスデータの伝送システム10は、端末50、基地局20、ユーザデータ処理実体90及びサービスサーバー30を含む。
【００６０】
前記端末50は、
前記端末50の応用層ユーザが要求したサービスタイプの対応の仮想IPアドレスを取得し、前記仮想IPアドレスが、前記端末50の物理標識、前記応用層ユーザの標識及び前記サービスタイプの標識により生成したIPアドレスであり、端末50の物理標識が端末50の物理IPアドレスであってもよいのように設置された第1の取得ユニット501と、
前記端末50の応用層から前記サービスタイプの第1の上りデータを受信し、前記第1の上りデータにおけるソースIPアドレスが前記端末50の物理IPアドレスであり、目標IPアドレスが前記仮想IPアドレスであるように設置された第1の受信ユニット502と、
前記第1の上りデータにおけるソースIPアドレスを前記仮想IPアドレスに入れ替え、前記第1の上りデータにおける目標IPアドレスを前記サービスタイプの対応の前記サービスサーバー30のIPアドレスに入れ替え、第2の上りデータを生成するように設置された第1の入れ替えユニット503と、
前記基地局20により前記第2の上りデータを前記ユーザデータ処理実体90に送信し、前記ユーザデータ処理実体90によって前記第2の上りデータを前記サービスサーバー30に転送するように設置された第1の送信ユニット504とを含む。
【００６１】
前記方案において、前記仮想IPアドレスが、前記端末の物理標識、前記応用層ユーザの標識及び前記サービスタイプの標識によって生成したIPアドレスであり、このため、各唯一の１つの仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザの同一のサービスタイプを代表する。同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【００６２】
図１０に示すように、本発明の実施例に記載のサービスデータの伝送システムの1つの実施例であり、端末がユーザデータ処理実体から下りデータを受信する状況に適用する。
【００６３】
前記サービスデータの伝送システム20は、端末70、基地局40、ユーザデータ処理実体80及びサービスサーバー60を含む。
【００６４】
前記端末70は、
前記基地局40により前記ユーザデータ処理実体80から第1の下りデータを受信し、前記第1の下りデータにおける目標IPアドレスが前記仮想IPアドレスであり、前記仮想IPアドレスが前記端末の物理標識、前記端末の応用層ユーザの標識及び前記応用層ユーザが要求したサービスタイプの標識によって生成したIPアドレスであり、前記仮想IPアドレスは、サービスタイプ標識及び仮想標識を含み、前記サービスタイプ標識がサービスタイプを表し、前記仮想標識が端末の物理IPアドレス及び前記端末の応用層ユーザの標識対応の番号を表し、また、前記仮想IPアドレスがさらに基地局標識を含むことができ、このように、異なる基地局にアクセスする端末に対すると、すべて唯一の1つの仮想IPアドレスに対応することができるように設置された第2の受信ユニット701と、
前記第1の下りデータにおけるソースIPアドレスを前記仮想IPアドレスに入れ替え、前記第1の下りデータにおける目標IPアドレスを前記端末的物理IPアドレスに入れ替え、第2の下りデータを生成するように設置された第2の入れ替えユニット702と、
前記仮想IPアドレスの対応の応用層ユーザの標識を取得するように設置された第2の取得ユニット703と、
前記第2の下りデータを前記応用層ユーザに送信するように設置された第2の送信ユニット704とを含む。
【００６５】
前記ユーザデータ処理実体80は、
前記サービスサーバー60から前記第1の下りデータを受信し、前記第1の下りデータにおける目標IPアドレスが仮想IPアドレスであるように設置された第3の受信ユニット801と、
前記仮想IPアドレスによりトンネルマッピングを行うように設置されたトンネルマッピングユニット802と、
前記トンネルマッピングにより、前記第1の下りデータを前記基地局40により前記端末70に送信するように設置された第3の送信ユニット803とを含む。
【００６６】
前記方案において、前記仮想IPアドレスが、前記端末の物理標識、前記応用層ユーザの標識及び前記サービスタイプの標識によって生成したIPアドレスであり、このため、各唯一の１つの仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザの同一のサービスタイプを代表する。同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。
【００６７】
当業者は、サービスデータの伝送システム10及びサービスデータの伝送システム20が同一のシステムであってもよく、即ち、端末50及び端末70が同一の終端であり、ユーザデータ処理実体80とユーザデータ処理実体90が同一のユーザデータ処理実体であり、基地局20及び端末40が同一の基地局であり、サービスサーバー30及びサービスサーバー60が同一のサービスサーバーであることを理解することができる。
【００６８】
本発明は、同一の実体に複数の端末を仮想し、各仮想端末の各サービスに1つの唯一の仮想IPアドレスを配分し、これにより、異なる仮想端末が異なるサービスを行うことを実現する。同一の端末実体に1種の多端末、多サービスを仮想でき、即ち、複数の仮想端末及び複数のサービスを同一の端末実体において実現し、プロトコルに実現する複雑度を簡単化する。
【００６９】
図１１に示すように、本発明の実施例に記載のサービスデータの伝送システムの応用様態であり、上り及び下りの2種の状況を含む。サービスデータの伝送方法は、
端末が移動管理実体（MME：Mobile Management Entity）に登録を起動するSlllと、
移動管理実体は、仮想IPアドレス配分策略により仮想IPアドレスの配分を行って、端末に1つの仮想IPアドレスを配分し、端末の物理IPアドレスと仮想IPアドレスとの間に一々対応の関係を構築し、仮想IPアドレスは、ロード情報を含み、仮想IPアドレスが端末標識及びサービスタイプ標識からなるS112と、
端末がサービス要求を起動し、サービスの目標IPアドレスが端末の仮想IPアドレスであるS113と、
端末が応用層プログラムから第1の上りデータを受信し、IPアドレスの入れ替えを行って、即ち、目標IPアドレスをサービスサーバーのIPアドレスに記入し、ソースIPアドレスを仮想IPアドレスに記入し、第2の上りデータを生成し、第2の上りデータを生成した後、IPアドレスのデータパケットのIPアドレスヘッド及び伝送層のCRC（Cyclic Redundancy Check：巡回冗長検査）増分計算を行う。S120:端末が仮想IPアドレスにおけるサービスタイプ標識によってロードマッピングを行って、且つ基地局がGTP-U（GPRS TUNNEL PROTOCOL - User Plane：トンネルプロトコルコントロールプレーン）により第2の上りデータをユーザサーフェス処理実体に送信するS114と、
ユーザデータ処理実体がサービスサーバーから第1の下りデータを受信し、前記第1の下りデータからソースIPアドレス及び目標IPアドレスを抽出し、前記目標IPアドレスが仮想IPアドレスであり、仮想IPアドレスが端末標識及びサービスタイプ標識から成るS115と、
ユーザデータ処理実体が前記目標IPアドレスによって、対応のトンネルのTE標識（Tunnel Endpoint Identifier：トンネル標識）情報を検索し、GTP-Uヘッド情報を記入し、トンネルマッピングを行って、対応の基地局のトンネルに送信し、データ伝送を完成し、トンネルデータの正確伝送を保証するS116と、
基地局が対応のユーザ情報を異なるロードにマッピングし、無線インターフェースデータの伝送を完成するS117と、
端末が無線インターフェースデータを受信するS118と、
端末が無線インターフェースデータを受信する後、仮想IPアドレスから実際の端末のIPアドレスまでのデータ転換を完成し、即ち、無線インターフェースデータにおける目標IPアドレスを端末の物理IPアドレスに入れ替え、これによって、データを応用層に配達するS119とを含む。
【００７０】
本発明は、異なる仮想端末が同時に複数のサービスを行うことを実現する方案を提供する。前記方法の実施例は、前記装置の実施例と対応し、方法の実施例に詳しく記載しなかった部分は、装置の実施例における関係部分の記載を参考すればよく、装置の実施例に詳しく記載しなかった部分は、方法の実施例における関係部分の記載を参考すればよい。
当業者は、上述実施例の方法における全部又は部分のステップを実現することが、プログラムが関係のハードウェアを命令することにより完成でき、前記プログラムがコンピュータの読み取り可能な記憶媒体に記憶してもよく、該プログラムが実行している際、上記の方法の実施例のステップを含み、前記記憶媒体は、例えば、磁性ディスク、光ディスク、読み取り専用メモリ(Read-Only Memory：ROM)又はランダムアクセスメモリ（Random Access Memory：RAM）などを挙げられることを理解することができる。
【００７１】
本発明の各方法の実施例において、前記各ステップの番号は、各ステップの前後順次を制限することに適用せず、通常の当業者にとって、創造性労働性を出さない前提で、各ステップに対する前後変化も本発明の保護範囲になっている。
【００７２】
以上は、本発明の好ましい実施方式を記載して、通常の当業者にとって、本発明の記載の原理を脱離しないことをもとに、複数の改善と変形をすることができるが、これらの改善と変形が本発明の保護範囲を見なすべきであることを指摘すべきである。
【産業上の利用可能性】
【００７３】
本発明が提供したサービスデータの伝送方法及びシステム、端末、ユーザデータ処理実体がすべて仮想IPアドレスを使用し、各唯一の仮想IPアドレスが異なる物理IPアドレス端末の異なるユーザの異なるサービスタイプを代表し、又は、同一の物理IPアドレス端末の同一のユーザの異なるサービスタイプを代表し、又は、同一の物理IPアドレス端末の異なるユーザの同一のサービスタイプを代表するので、同一の端末の同一のユーザが異なるサービスを要求すると、仮想IPアドレスが異なることになり、同一の端末の異なるユーザが同じサービスを要求すると、仮想IPアドレスが異なることになり、すべて1つの唯一の仮想IPアドレスに対応する。このため、同一の端末に複数の端末、複数のサービスを仮想することを実現することができる。 
【図１】
0005442840.tif 000002
【図２】
0005442840.tif 000003
【図３】
0005442840.tif 000004
【図４】
0005442840.tif 000005
【図５】
0005442840.tif 000006
【図６】
0005442840.tif 000007
【図７】
0005442840.tif 000008
【図８】
0005442840.tif 000009
【図９】
0005442840.tif 000010
【図１０】
0005442840.tif 000011
【図１１】
0005442840.tif 000012